(57)【要約】【課題】本発明は、多重される光の波長の数や間隔に柔軟に対応できる光分波器を提供することを目的とする。【解決手段】本発明に係る光分波器は、入力端１１の入力ポート１２から入力される波長多重光を複数の波長領域の分波光に分波し、前記複数の分波光をそれぞれ光出力端１９の出力ポート１８から出力するＡＷＧ１０１と、ＡＷＧ１０１の光出力端１９に出力ポート１８毎に接続され、前記分波光のうち選択された波長の光のみ透過させる複数の可変波長フィルタ１０２と、を備える。【選択図】図２
2009075291.tif 000002
【特許請求の範囲】
【請求項１】
入力される波長多重光を複数の波長領域の分波光に分波し、前記複数の分波光をそれぞれ光出力端の出力ポートから出力するアレイ導波路回折格子型光分波器と、
前記アレイ導波路回折格子型光分波器の前記光出力端に前記出力ポート毎に接続され、前記分波光のうち選択された波長の光のみ透過させる複数の可変波長フィルタと、
を備える光分波器。
【請求項２】
前記可変波長フィルタは、
中心軸から外周に向けて屈折率が低減する屈折率分布型レンズ、前記屈折率分布型レンズの中心軸方向の一端に取り付けられた誘電体多層膜ミラー及び前記屈折率分布型レンズの中心軸方向の他端に互いの光軸が揃うように接続されたシングルモード光ファイバを有する導波路と、
２本の前記導波路が一組となり、内部でそれぞれの前記誘電体多層膜ミラーがギャップを介して対向するように両端から前記導波路が挿入されるキャピラリと、
前記キャピラリに挿入された一組の前記導波路の少なくとも一方を光軸方向へ動かして前記ギャップを調整するアクチュエータと、
を有し、前記キャピラリに挿入された一組の前記導波路の一方が前記アレイ導波路回折格子型光分波器の前記光出力端の前記出力ポートのひとつに接続されていることを特徴とする請求項１に記載の光分波器。
【請求項３】
入力される波長多重光を複数の波長領域の分波光に分波し、前記複数の分波光をそれぞれ光出力端の出力ポートから出力するアレイ導波路回折格子型光分波器と、
前記アレイ導波路回折格子型光分波器の前記光出力端に接続され、それぞれの前記分波光から前記分波光毎に一意的に選択した波長の光のみ透過させる１つの可変波長フィルタと、
を備える光分波器。
【請求項４】
前記可変波長フィルタは、
中心軸から外周に向けて屈折率が低減する屈折率分布型レンズ、前記屈折率分布型レンズの中心軸方向の一端に取り付けられた誘電体多層膜ミラー及び前記屈折率分布型レンズの中心軸方向の他端に互いの光軸が揃うように接続されたシングルモード光ファイバを有する導波路と、
２本の前記導波路が一組となり、内部でそれぞれの前記誘電体多層膜ミラーがギャップを介して対向するように両端から前記導波路が複数組挿入されるキャピラリと、
前記キャピラリに挿入された複数組の前記導波路の少なくとも一方を光軸方向へ同時に動かして前記キャピラリ内のそれぞれの前記ギャップを同時に調整するアクチュエータと、
を有し、前記キャピラリに挿入された複数組の前記導波路の一方が前記アレイ導波路回折格子型光分波器の前記光出力端のそれぞれの前記出力ポートに接続されていることを特徴とする請求項３に記載の光分波器。
【発明の詳細な説明】
【技術分野】
【０００１】
本発明は、波長多重通信の波長多重光信号を波長毎に分波する光分波器に関するものである。
【背景技術】
【０００２】
波長多重通信では各波長信号強度監視あるいは制御のために各波長グリッドの波長多重光を個別にモニタする必要がある。従来は回折格子を用いたスペクトラムアナライザ又は図１のようなアレイ導波路回折格子型光分波器（ＡＷＧ）１０１とフォトダイオード（ＰＤ）アレイ３１を組み合わせた波長多重光モニタ５０１が用いられてきた。特にＡＷＧ１０１とＰＤアレイ３１を用いる波長多重光モニタ５０１は簡便で可動部分がなく信頼性に優れているという特徴がある（例えば、特許文献１を参照。）。
【特許文献１】特開２００４−３６１６６０号公報
【発明の開示】
【発明が解決しようとする課題】
【０００３】
しかし、ＡＷＧとＰＤアレイを用いる波長多重光モニタは次のような課題があった。まず、モニタする波長数の増加に伴いＰＤの数も増加して製造コストが上昇するという課題があった。また、モニタする波長数の増加すればＰＤの数も増加するため、信頼性を維持することが困難になるという課題もあった。さらに、ＡＷＧでの波長分波は固定波長間隔であるために、異なる波長間隔の光信号を多重する高密度波長多重方式（ＤＷＤＭ：Ｄｅｎｓｅ  Ｗａｖｅｌｅｎｇｔｈ  Ｄｉｖｉｓｉｏｎ  Ｍｕｌｔｉｐｌｅｘｉｎｇ）に適用できないという課題があった。これらの課題は、光分波器としてのＡＷＧが多重される光の波長の数や間隔に柔軟に対応できないことに起因している。
【０００４】
そこで、前記課題を解決するため、本発明は、多重される光の波長の数や間隔に柔軟に対応できる光分波器を提供することを目的とする。
【課題を解決するための手段】
【０００５】
上記目的を達成するために、本発明に係る光分波器は、分波する波長間隔の大きなＡＷＧの出力ポートのそれぞれに可変波長フィルタを接続した構造としている。
【０００６】
具体的には、本発明に係る第１の光分波器は、入力される波長多重光を複数の波長領域の分波光に分波し、前記複数の分波光をそれぞれ光出力端の出力ポートから出力するアレイ導波路回折格子型光分波器と、前記アレイ導波路回折格子型光分波器の前記光出力端に前記出力ポート毎に接続され、前記分波光のうち選択された波長の光のみ透過させる複数の可変波長フィルタと、を備える。
【０００７】
第１の光分波器は、ＡＷＧが波長多重光信号から所定の波長範囲で広帯域に波長分割した後に、可変波長フィルタで所望の波長の光信号を取り出す。可変波長フィルタが高分解能であるため、第１の光分波器は、取り出す光信号の波長間隔を各ＩＴＵグリッドに対応させることが可能になる。従って、本発明は、多重される光の波長の数や間隔に柔軟に対応できる光分波器を提供することができる。
【０００８】
このため、第１の光分波器を波長多重光モニタに利用すれば、ＰＤの数を一定にしたまま、波長多重光信号の波長数を増加させることができ、波長多重光モニタの製造コストを低減でき、信頼性を維持することができる。また、波長間隔の異なるＤＷＤＭの波長多重光モニタにも利用することができる。
【０００９】
さらに、可変波長フィルタ単独の光分波器より波長選択範囲の狭い可変波長フィルタを使用できるため、波長選択精度が高く、廉価な光分波器を提供できる。
【００１０】
第１の光分波器の前記可変波長フィルタは、中心軸から外周に向けて屈折率が低減する屈折率分布型レンズ、前記屈折率分布型レンズの中心軸方向の一端に取り付けられた誘電体多層膜ミラー及び前記屈折率分布型レンズの中心軸方向の他端に互いの光軸が揃うように接続されたシングルモード光ファイバを有する導波路と、２本の前記導波路が一組となり、内部でそれぞれの前記誘電体多層膜ミラーがギャップを介して対向するように両端から前記導波路が挿入されるキャピラリと、前記キャピラリに挿入された一組の前記導波路の少なくとも一方を光軸方向へ動かして前記ギャップを調整するアクチュエータと、を有し、前記キャピラリに挿入された一組の前記導波路の一方が前記アレイ導波路回折格子型光分波器の前記光出力端の前記出力ポートのひとつに接続されていることを特徴とすることができる。
【００１１】
前記可変波長フィルタは、高度の組み立て技術が不要で製造が容易であるため、廉価な光分波器を提供できる。
【００１２】
本発明に係る第２の光分波器は、入力される波長多重光を複数の波長領域の分波光に分波し、前記複数の分波光をそれぞれ光出力端の出力ポートから出力するアレイ導波路回折格子型光分波器と、前記アレイ導波路回折格子型光分波器の前記光出力端に接続され、それぞれの前記分波光から前記分波光毎に一意的に選択した波長の光のみ透過させる１つの可変波長フィルタと、を備えてもよい。
【００１３】
また、第２の光分波器の前記可変波長フィルタは、中心軸から外周に向けて屈折率が低減する屈折率分布型レンズ、前記屈折率分布型レンズの中心軸方向の一端に取り付けられた誘電体多層膜ミラー及び前記屈折率分布型レンズの中心軸方向の他端に互いの光軸が揃うように接続されたシングルモード光ファイバを有する導波路と、２本の前記導波路が一組となり、内部でそれぞれの前記誘電体多層膜ミラーがギャップを介して対向するように両端から前記導波路が複数組挿入されるキャピラリと、前記キャピラリに挿入された複数組の前記導波路の少なくとも一方を光軸方向へ同時に動かして前記キャピラリ内のそれぞれの前記ギャップを同時に調整するアクチュエータと、を有し、前記キャピラリに挿入された複数組の前記導波路の一方が前記アレイ導波路回折格子型光分波器の前記光出力端のそれぞれの前記出力ポートに接続されていることを特徴とすることができる。
【００１４】
第２の光分波器は、第１の光分波器で説明した効果と同様の効果を得ることができる。
【発明の効果】
【００１５】
本発明によれば、多重される光の波長の数や間隔に柔軟に対応できる光分波器を提供することができる。
【発明を実施するための最良の形態】
【００１６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１７】
（実施の形態１）
図２は、第１の光分波器の実施形態である光分波器３１１の構成を示す図である。光分波器３１１は、波長多重光モニタ５１１の構成の一部である。波長多重光モニタ５１１は、光分波器３１１と、光分波器３１１に波長多重光を入力する光ファイバ３５と、光分波器３１１の出力光を集光するレンズ３３と、光分波器３１１の出力光を受光する受光素子のＰＤ３２を含む。
【００１８】
光分波器３１１は、入力端１１の入力ポート１２から入力される波長多重光を複数の波長領域の分波光に分波し、前記複数の分波光をそれぞれ光出力端１９の出力ポート１８から出力するＡＷＧ１０１と、ＡＷＧ１０１の光出力端１９に出力ポート１８毎に接続され、前記分波光のうち選択された波長の光のみ透過させる複数の可変波長フィルタ１０２と、を備える。
【００１９】
図２の光分波器３１１は、ＡＷＧ１０１（波長帯域１５３０〜１６２５ｎｍ、波長間隔２４ｎｍ）の４つの出力ポート１８にＶ溝ブロック２７で波長可変フィルタ１０２の導波路６１を接続している。
【００２０】
ＡＷＧ１０１は入力ポート１２から入ってきた波長多重光を大きく４つの波長帯域に分離し、４つの出力ポート１８ヘ出力する。光ファイバ３５からの波長多重光は、例えば、波長帯域１５３０〜１６２５ｎｍ、波長間隔はＩＴＵ規定のもので１００ＧＨｚである。
【００２１】
可変波長フィルタ１０２は、例えば、ファブリペロー（ＦＰ）共振器である。ＦＰ共振器の共振長をアクチュエータで変化させることで、どのような波長間隔の波長多重光でもスペクトラムを求めることができる。可変波長フィルタ１０２を説明するために図２の光分波器３１１のうち、一つの可変波長フィルタ１０２についての断面を図３に示す。
【００２２】
可変波長フィルタ１０２は、中心軸から外周に向けて屈折率が低減する屈折率分布型レンズ５１、屈折率分布型レンズ５１の中心軸方向の一端に取り付けられた誘電体多層膜ミラー５２及び屈折率分布型レンズ５１の中心軸方向の他端に互いの光軸が揃うように接続されたシングルモード光ファイバ５３を有する導波路６１と、２本の導波路６１が一組となり、内部でそれぞれの誘電体多層膜ミラー５２がギャップＬｃを介して対向するように両端から導波路６１が挿入されるキャピラリ７１と、キャピラリ７１に挿入された一組の導波路６１の少なくとも一方を光軸方向へ動かしてギャップＬｃを調整するアクチュエータ７２と、を有し、キャピラリ７１に挿入された一組の導波路６１の一方がＡＷＧ１０１の光出力端１９の出力ポート１８のひとつに接続されている。
【００２３】
図３で導波路６１部分を説明する。可変波長フィルタ１０２の２つの導波路６１は導波路６１ａ及び導波路６１ｂである。
【００２４】
屈折率分布型レンズ５１は、例えば、ＧＲＩＮレンズ又はグレーデッドインデックスファイバを所望の長さにカットしたものである。誘電体多層膜ミラー５２は、例えば、ハーフミラーである。ＳｉＯ２やＴｉＯ２を蒸着又はスパッタすることで形成できる。
【００２５】
導波路６１は、シングルモード光ファイバ５３の先端に屈折率分布型レンズ５１を融着接続した後に、屈折率分布型レンズ５１を適当な長さでカットして製造する。屈折率分布型レンズ５１の屈折率分布と長さを適当にするとシングルモード光ファイバ５３から屈折率分布型レンズ５１に入った光はコリメート光として導波路６１から出射される。２本の導波路６１の屈折率分布型レンズ５１を対向させると極めて結合損失の小さいコリメート光学系が構成できる。
【００２６】
対向させた屈折率分布型レンズ５１の両方の先端に誘電体多層膜ミラー５２を形成すると、ＦＰ共振器が構成できる。ギャップＬｃの長さを変えることでパスバンドの中心波長が変化し、可変波長フィルタとすることができる。このＦＰ共振器は屈折率分布型レンズ５１で構成されているために、光軸方向（Ｚ方向）に１０μｍ程度動かしても、損失変動は０．００１ｄＢ以下と極めて小さく、さらに光軸に垂直な方向（Ｘ，Ｙ方向）に２μｍ程度動かした場合でもその損失変動は０．０３ｄＢと小さい。このため、共振長の変化に伴う損失変動の小さい可変波長フィルタが実現できる。
【００２７】
キャピラリ７１は、内径寸法公差が小さい精密ガラスキャピラリが好ましい。キャピラリ７１に導波路６１ａ及び導波路６１ｂを挿入するので、キャピラリ７１の内径はシングルモード光ファイバ５３の外径より若干大きい。具体的には、シングルモード光ファイバ５３のコア径は１０μｍ、外径は１２５±０．５μｍである。キャピラリ７１の内径は１２６μｍ以上１２７μｍ以下である。
【００２８】
キャピラリ７１の両端から導波路６１ａ及び導波路６１ｂを挿入し、キャピラリ７１内部で誘電体多層膜ミラー５２を対向させてギャップＬｃを形成すると低損失のコリメート光学系のＦＰ共振器が容易に構成できる。可変波長フィルタ１０２の場合、導波路６１ａをキャピラリ７１の内面に固定する。一方、導波路６１ｂはキャピラリ７１内で可動状態としておく。導波路６１ｂの位置を変えることでギャップＬｃの長さが変わり、可変波長フィルタ１０２のパスバンドの中心波長が変化する。
【００２９】
ギャップＬｃの長さを変えるため、可変波長フィルタ１０２は、導波路６１ｂを光軸方向へ動かしてギャップＬｃを調整するアクチュエータ７２をさらに備える。可変波長フィルタ１０２のアクチュエータ７２は中空積層ピエゾアクチュエータである。中空積層ピエゾアクチュエータはＰＺＴの積層で構成され、低電圧で積層方向に大きく伸縮させることができる。例えば、中空積層ピエゾアクチュエータは、伸縮方向の長さが１０ｍｍであり、３０Ｖで５μｍ伸縮する。
【００３０】
アクチュエータ７２の両側に保持板７３ａ及び保持板７３ｂを取り付ける。保持板７３ａの孔にキャピラリ７１を差し込んで固定する。一方、保持板７３ｂにもキャピラリ７１を差し込む。保持板７３ｂとキャピラリ７１とは固定せず可動状態としておく。キャピラリ７１の両側を保持板７３ａ及び保持板７３ｂで保持するため、可変波長フィルタ１０２は、アクチュエータ７２の駆動でギャップＬｃを安定して可変できる。
【００３１】
波長多重光モニタ５１１は、アクチュエータ７２でギャップＬｃを伸縮させて、可変波長フィルタ１０２の中心波長を変化させている。波長多重光モニタ５１１は、可変波長フィルタ１０２が出力する波長多重光のスペクトラムをＰＤ受光素子３２で測定する。また、波長多重光モニタ５１１は、ＤＷＤＭの波長間隔の制限を受けることなく、１２．５ＧＨｚ、２５ＧＨｚ、５０ＧＨｚ、１００ＧＨｚ、２００ＧＨｚのＩＴＵ波長間隔を測定可能である。図１のような従来のＡＷＧのみの波長多重モニタ５０１の場合、１００個以上のＰＤが必要であるが、波長多重光モニタ５１１は４個のＰＤ３２でモニタすることができる。
【００３２】
ここで、ＦＰ共振器の基本特性は以下のように表される。自由スペクトラルレンジ（ＦＳＲ）は数式（１）のように表される。
ＦＳＲ＝Ｃ／（２×ｎ×ｌｃ）                              （１）
ここでＣは光速、ｎはギャップＬｃ内の屈折率、ｌｃはギャップＬｃの長さである。このため、ギャップＬｃの長さｌｃをアクチュエータ７２でわずかに変化させると、ＦＳＲが変化する。
【００３３】
一方、フィネス（Ｆ）は数式（２）のように表される。
Ｆ＝ＦＳＲ／ＦＷＨＭ＝π／（１−Ｒ）                      （２）
ここでＦＷＨＭはバンドパスの半値幅、Ｒは誘電体多層膜ミラー５２の反射率である。
【００３４】
波長多重光モニタ５１１は、ＡＷＧ１０１で４つの波長帯域に分割しているため可変波長フィルタ１０２のＦＳＲはその分だけ小さくなり、可変波長フィルタ１０２の可変範囲を狭くすることができる。これは、アクチュエータ７２の作動距離が短くて済むので、例えば、ピエゾアクチュエータの場合、低電圧動作、線形動作に近づくなどの利点がある。さらに、以下に説明するように、ＡＷＧ１０１で４つの波長帯域に分割することで可変波長フィルタ１０２の分解能が改善され、波長多重光モニタ５１１は、ＤＷＤＭの各波長信号のスペクトラムが詳細に計測可能になるという利点もある。
【００３５】
誘電体多層膜ミラー５２の反射率を大きくすることには限界がある。ここではある反射率の誘電体多層膜ミラー５２を用いたとすると数式（２）からフィネス（Ｆ）はある一定の値になる。可変波長フィルタ１０２の分解能を決める半値幅（ＦＷＨＭ）は数式（２）からＦ×ＦＳＲとなるので、Ｆが一定とするとＦＳＲが小さくなるほどＦＷＨＭは小さくなることがわかる。そのため、ＡＷＧ１０１で帯域分割してＦＳＲを小さくすることで同じ誘電体多層膜ミラー５２を使用していても、可変波長フィルタ１０２の分解能が向上する。このため、波長多重光モニタ５１１は、入力される波長多重光の波長間隔が狭くても多重された光信号のスペクトラムが計測できる。さらに、入力される波長多重光の波長間隔が広い場合には、多重された光信号の詳細なスペクトラムを計測できる。
【００３６】
ＡＷＧ１０１の４本の出力ポート１８をそれぞれ出力ポート１８−１から出力ポート１８−４とする。図４は、出力ポート１８−１から出力ポート１８−４について、それぞれのパスバンドの波長帯域Ａからパスバンドの波長帯域Ｄを重畳して示した図である。さらに出力ポート１８毎の可変波長フィルタ１０２におけるスペクトラムの移動も図４に示した。アクチュエータ７２が積層ピエゾアクチュエータの場合、積層ピエゾアクチュエータは電圧挿引することで伸縮するため、可変波長フィルタ１０２の中心波長は図４で左右に移動する。一般に積層ピエゾアクチュエータはヒステリシスを示すため、電圧上昇時と下降時で同じ電圧に対して異なる中心波長を示す。これを避けるために可変波長フィルタ１０２により測定されるスペクトラムは、ａ１からａ２、ｂ１からｂ２、ｃ１からｃ２、ｄ１からｄ２へと一方向に移動するときのみスペクトルを取得するようにし、ヒステリシスの影響を避けている。このように、波長多重光モニタ５１１は、光分波器３１１を利用するため、多重される光の波長の数や間隔に柔軟に対応できる。
【００３７】
本実施例で波長分割にＡＷＧを用いたが、波長分解できれば、他の方法でも同じ効果が得られる。例えば、１×４のスプリッタで４つに分け、さらにその４本の出力にバンドパスフィルターを配置して４つの波長帯域を取り出し、その後に可変波長フィルタを設置することも可能である。
【００３８】
（実施の形態２）
図５は、第２の光分波器の実施形態である光分波器３１２の外観を示す図である。波長多重モニタ５１２の構成の一部である。波長多重モニタ５１２は、光分波器３１２と、光分波器３１２に波長多重光を入力する光ファイバ３５と、光分波器３１２の出力光を集光する平板型マイクロレンズアレイ４３と、光分波器３１２の出力光を受光するＰＤアレイ４２を含む。
【００３９】
光分波器３１２は、入力端１１の入力ポート１２から入力される波長多重光を複数の波長領域の分波光に分波し、前記複数の分波光をそれぞれ光出力端１９の出力ポート１８から出力するＡＷＧ１０１と、ＡＷＧ１０１の光出力端１９に接続され、それぞれの前記分波光から前記分波光毎に一意的に選択した波長の光のみ透過させる１つの可変波長フィルタ１０３と、を備える。
【００４０】
図５の光分波器３１２は、ＡＷＧ１０１（波長帯域１５３０〜１６２５ｎｍ、波長間隔２４ｎｍ）の出力端１９にＶ溝ブロック２７で波長可変フィルタ１０３の導波路６１を接続している。
【００４１】
図６は、可変波長フィルタ１０３を説明するために、波長多重モニタ５１２をＡＷＧ１０１の面と平行に切断した断面図のうち可変波長フィルタ１０３付近の図である。可変波長フィルタ１０３は、中心軸から外周に向けて屈折率が低減する屈折率分布型レンズ５１、屈折率分布型レンズ５１の中心軸方向の一端に取り付けられた誘電体多層膜ミラー５２及び屈折率分布型レンズ５１の中心軸方向の他端に互いの光軸が揃うように接続されたシングルモード光ファイバ５３を有する導波路６１と、２本の導波路６１が一組となり、内部でそれぞれの誘電体多層膜ミラー５３がギャップＬｃを介して対向するように両端から導波路６１が複数組挿入されるキャピラリ９１と、キャピラリ９１に挿入された複数組の導波路６１の少なくとも一方を光軸方向へ同時に動かしてそれぞれのキャピラリ９１内のギャップＬｃを同時に調整するアクチュエータ７２と、を有し、キャピラリ９１に挿入された複数組の導波路６１の一方がＡＷＧ１０１の光出力端１９のそれぞれの出力ポート１８に接続されている。
【００４２】
可変波長フィルタ１０３は、図３で説明した導波路６１ａ及び導波路６１ｂで構成されるＦＰ共振器を４つ内蔵する。キャピラリ９１は複数組の導波路６１ａ及び導波路６１ｂが挿入できるような孔を持つ。キャピラリ９１の代替として４本のガラスＶ溝とその上蓋の間にわずかに隙間を持たせた構造体を使用しても良い。
【００４３】
保持板７３ａはキャピラリ９１を固定し、保持板７３ｂはそれぞれの導波路６１ｂを固定する。アクチュエータ７２が保持板７３ａと保持板７３ｂの間で伸縮するため、可変波長フィルタ１０３は、４つのＦＰ共振器の共振波長を同時に変化させることができる。アクチュエータ７２が積層ピエゾアクチュエータの場合、ある電圧を印加したとき、それぞれのＦＰ共振器を透過する波長は一意に設定されることになる。
【００４４】
可変波長フィルタ１０３の導波路６１ａのＡＷＧ１０１側には、Ｖ溝ブロック２７が取り付けられている。例えば、Ｖ溝ブロック２７の溝の間隔が２５０μｍの場合、導波路６１ａはＶ溝ブロック２７の溝の間隔に配列されるので、可変波長フィルタ１０３は４つのＦＰ共振器は２５０μｍ間隔で内蔵する。
【００４５】
Ｖ溝ブロック２７をＡＷＧ１０１の出力端に接続することで、ＡＷＧ１０１の光出力端１９の４つの出力ポート１８のそれぞれに導波路６１ａが接続される。なお、ＡＷＧ１０１には、補強と光学接続面を出すために補強板３９が取り付けられている。可変波長フィルタ１０３のＡＷＧ１０１の反対側には、さらにＶ溝ブロック４７、平板型マイクロレンズアレイ４３、ＰＤアレイ４２が接続される。
【００４６】
可変波長フィルタ１０３の４つのＦＰ共振器においてパスバンドの中心波長の初期値はＡＷＧ１０１で分波される波長帯域のどちらか一方の端になるようにあらかじめギャップＬｃがセットされている。さらに可変波長フィルタ１０３の出力ファイバの先端に平板型マイクロレンズアレイ４３を取り付け、集光されたビームはＰＤアレイ４２の各受光面に照射される。
【産業上の利用可能性】
【００４７】
本発明に係る光分波器は、ＰＤ又はＰＤアレイの代替として４芯テープファイバを接続することで、４アレイの可変波長フィルタとしても使用できる。
【図面の簡単な説明】
【００４８】
【図１】従来の波長多重光モニタの構成を示した図である。
【図２】本実施形態の光分波器の構成を示した図である。
【図３】本実施形態の光分波器における可変波長フィルタを説明するための図である。
【図４】本実施形態の光分波器において、ＡＷＧの出力ポートの波長帯域と可変波長フィルタの透過波長を説明するための図である。
【図５】本実施形態の光分波器の構成を示した図である。
【図６】本実施形態の光分波器における可変波長フィルタを説明するための図である。
【符号の説明】
【００４９】
５０１、５１１、５１２：波長多重光モニタ
３１１、３１２：光分波器
１０１：ＡＷＧ
１０２、１０３：可変波長フィルタ
１０：基板
１１入力端
１２：入力ポート
１３：入力チャネル導波路
１４：入力スラブ導波路
１５：アレイ導波路
１６：出力スラブ導波路
１７：出力チャネル導波路
１８、１８−１、１８−２、１８−３、１８−４：出力ポート
１９：光出力端
２７、３７、４７：Ｖ溝ブロック
３１、４２：フォトダイオード（ＰＤ）アレイ
３２：ＰＤ受光素子
３３：レンズ
３５：光ファイバ
３９：補強板
４３：平板型マイクロレンズアレイ
５１：屈折率分布型レンズ
５２：誘電体多層膜ミラー
５３：シングルモード光ファイバ
６１、６１ａ、６１ｂ：導波路
７１、９１：キャピラリ
７２：アクチュエータ
７３ａ、７３ｂ：保持板
Ａ〜Ｄ：ＡＷＧ１０１の各出力ポートから出力される光の波長帯域
ａ１、ａ２、ｂ１、ｂ２、ｃ１、ｃ２、ｄ１、ｄ２：可変波長フィルタ１０２で透過される波長多重光のスペクトラム
Ｌｃ：ギャップ
【図１】
2009075291.tif 000003
【図２】
2009075291.tif 000004
【図３】
2009075291.tif 000005
【図４】
2009075291.tif 000006
【図５】
2009075291.tif 000007
【図６】
2009075291.tif 000008